(57)【要約】  本発明は、仮想会議の参加者のストリームを制御する方法及び装置に関し、少なくとも第１の参加者と第２の参加者とが第１の場所に位置しており、少なくとも第３の参加者が第２の場所に位置している。当該装置は、各参加者のための識別情報に関連づけられた場所情報を受信する手段（３１０）と、少なくともオーディオと前記各参加者の識別情報とを含むストリームを、前記各参加者から受信する手段（３２０）と、前記場所情報と前記識別情報とに基づいて、同一の場所にいる前記参加者間のストリームをブロックするように、前記受信した各ストリームを別々に前記参加者へ送信することを制御する手段（３３０）と、を備える。
2009536497.tif 000002
【特許請求の範囲】
【請求項１】
仮想会議の参加者のストリームを制御する装置であって、少なくとも第１の参加者と第２の参加者とが第１の場所に位置しており、少なくとも第３の参加者が第２の場所に位置しており、当該装置は、
各参加者のための識別情報に関連づけられた場所情報を受信する手段（４１０）と、
少なくともオーディオと前記各参加者の識別情報とを含むストリームを、前記各参加者から受信する手段（４２０）と、
前記場所情報と前記識別情報とに基づいて、同一の場所にいる前記参加者間のストリームをブロックするように、前記受信した各ストリームを別々に前記参加者へ送信することを制御する手段（４３０）と、
を備えることを特徴とする装置。
【請求項２】
前記各参加者の前記場所情報はログイン手続において受信されることを特徴とする請求項１に記載の装置。
【請求項３】
前記各参加者の前記場所情報は定期的に受信されることを特徴とする請求項１に記載の装置。
【請求項４】
各参加者の場所情報を受信する前記手段は、前記場所情報を取り出す手段を含み、当該取り出すことは、所定のイベントによって引き起こされることを特徴とする請求項１に記載の装置。
【請求項５】
前記識別情報はＳＩＰアドレスであることを特徴とする請求項１乃至４のいずれか１項に記載の装置。
【請求項６】
前記制御する手段は、前記第１の場所にいる所与の参加者からの第１のストリームを別の場所にいる参加者の第１のセットへと導く手段を更に備え、当該第１のストリームは当該第１のセットに含まれない参加者に対してはブロックされることを特徴とする請求項１乃至５のいずれか１項に記載の装置。
【請求項７】
前記識別情報に基づいて前記参加者の活動を記録する手段と、
前記記録した活動を前記仮想会議の前記参加者に対して提示する手段と、
を備えることを特徴とする請求項１乃至６のいずれか１項に記載の装置。
【請求項８】
少なくとも２つのストリームをまとめて１つのストリームにする手段を備えることを特徴とする請求項１乃至７のいずれか１項に記載の装置。
【請求項９】
音声活動検出（ＶＡＤ）のための手段と、
音声が検出されたストリームのみを送信する手段と、
を備えることを特徴とする請求項１乃至８のいずれか１項に記載の装置。
【請求項１０】
前記ＶＡＤに基づいて復号及び符号化を行う手段を備えることを特徴とする請求項９に記載の装置。
【請求項１１】
前記ＶＡＤに基づいて符号化された到来ストリーム間の出力を切り替える手段と、
音声が検出された場合のみ復号を行う手段と、
を備えることを特徴とする請求項９に記載の装置。
【請求項１２】
クライアント−サーバ・ソリューションにおいて、前記装置はサーバを構成し、前記参加者はクライアントを構成することを特徴とする請求項１乃至１１のいずれか１項に記載の装置。
【請求項１３】
ピア・ツー・ピア・ソリューションにおいて、前記装置は前記仮想会議の参加者の移動電話内に配置されて仲介ピアを構成し、前記仮想会議の前記参加者の前記移動電話はピアを構成することを特徴とする請求項１乃至１２のいずれか１項に記載の装置。
【請求項１４】
仮想会議の参加者のストリームを制御する方法であって、少なくとも第１の参加者と第２の参加者とが第１の場所に位置しており、少なくとも第３の参加者が第２の場所に位置しており、当該方法は、
各参加者のための識別情報に関連づけられた場所情報を受信するステップ（４０１）と、
少なくともオーディオと前記各参加者の識別情報とを含むストリームを、前記各参加者から受信するステップ（４０２）と、
前記場所情報と前記識別情報とに基づいて、同一の場所にいる前記参加者間のストリームをブロックするように、前記受信した各ストリームを別々に前記参加者へ送信することを制御するステップ（４０３）と、
を備えることを特徴とする方法。
【請求項１５】
前記各参加者の前記場所情報はログイン手続において受信されることを特徴とする請求項１４に記載の方法。
【請求項１６】
前記各参加者の前記場所情報は定期的に受信されることを特徴とする請求項１４に記載の方法。
【請求項１７】
各参加者の場所情報を受信する前記ステップは、前記場所情報を取り出すステップを含み、当該取り出すことは、所定のイベントによって引き起こされることを特徴とする請求項１４に記載の方法。
【請求項１８】
前記識別情報はＳＩＰアドレス、ＩＭＳＩ、又はＩＰアドレスであることを特徴とする請求項１４乃至１７のいずれか１項に記載の方法。
【請求項１９】
前記制御するステップは、前記第１の場所にいる所与の参加者からの第１のストリームを別の場所にいる参加者の第１のセットへと導くステップを更に備え、当該第１のストリームは当該第１のセットに含まれない参加者に対してはブロックされることを特徴とする請求項１４乃至１８のいずれか１項に記載の方法。
【請求項２０】
前記識別情報に基づいて前記参加者の活動を記録するステップと、
前記記録した活動を前記仮想会議の前記参加者に対して提示するステップと、
を備えることを特徴とする請求項１４乃至１９のいずれか１項に記載の方法。
【請求項２１】
少なくとも２つのストリームをまとめて１つのストリームにするステップを備えることを特徴とする請求項１４乃至２０のいずれか１項に記載の方法。
【請求項２２】
音声活動検出（ＶＡＤ）のためのステップと、
音声が検出されたストリームのみを送信するステップと、
を備えることを特徴とする請求項１４乃至２１のいずれか１項に記載の方法。
【請求項２３】
前記ＶＡＤに基づいて復号及び符号化を行うステップを備えることを特徴とする請求項２２に記載の方法。
【請求項２４】
前記ＶＡＤに基づいて符号化された到来ストリーム間の出力を切り替えるステップと、
音声が検出された場合のみ復号を行うステップと、
を備えることを特徴とする請求項２２に記載の方法。
【請求項２５】
クライアント−サーバ・ソリューションにおいて、前記方法はサーバ内で実施され、前記参加者はクライアントを構成することを特徴とする請求項１４乃至２４のいずれか１項に記載の方法。
【請求項２６】
ピア・ツー・ピア・ソリューションにおいて、前記方法は前記仮想会議の参加者の移動電話内で実施され、前記仮想会議の前記参加者の前記移動電話はピアを構成することを特徴とする請求項１４乃至２５のいずれか１項に記載の方法。
【発明の詳細な説明】
【技術分野】
【０００１】
本発明は、仮想会議のための方法及び装置に関し、本発明は特に、仮想会議のサウンドの改善に関する。
【背景技術】
【０００２】
２以上の異なる会場に参加者がいる「仮想会議」は、今日のビジネス生活において極めて普及している。その理由は特に、小企業及び大企業、並びに他の組織はいずれも、今日、全世界を自分達の労働環境としているからである。
【０００３】
仮想会議内での意思疎通及び協力はネットワーク機能によって可能になり、テレビ会議による単純な音声電話技術から、多かれ少なかれ先進的な、文書の共同制作や１対１での会議中の意思疎通などにまで跨る。既存の技術／ソリューションには、マルチパーティー通話、音声及びＶｏＩＰでの会議、ビデオ会議、及びＰＣベースの協力ツールなどが含まれる。
【０００４】
仮想会議のための一般的な設定は、数人の参加者がいる１つの会議室と、各自のオフィスからリモートに参加する１〜２の人と、移動しながら電話してくる何人かの人である。スピーカフォン又はＰＣベースの音声接続によって、会議室と多様な遠隔会場との間での意思疎通が可能になる。
【０００５】
全参加者が会議室に入り、スピーカフォンを介して会話に参加するまで、会議は開始することができない。更に、会議は、口から耳へ、固定電話、そして移動電話といった多数のソースからの音声通信に頼っている。
【０００６】
マイクロフォンから遠くはなれて座っている人々はしばしば、遠隔地の参加者によって聞かれることに関して問題を有する。分離した延長マイクがあったとしても、全員がマイクロフォンに十分に近づける訳ではない。例えばホワイトボードの位置に立っている人はしばしば、遠すぎる。発表や部屋内の誰かを見るために頭をちょっと回すと、サウンドの劣化を引き起こす。
【０００７】
スピーカの音量は１つのレベルにのみ設定される必要があるので、遠くに離れて座っている人にとって十分に大きくするためには、近くに座っている人にとっては大きすぎることになるかもしれない。難聴の人々は、個別に調整する手段を持たない。
【０００８】
それゆえ、例え各参加者が同一の部屋に座っているとしても、各参加者が自分のスピーカ及びマイクロフォンを持てるというソリューションを達成することが望まれるかもしれない。
【発明の開示】
【発明が解決しようとする課題】
【０００９】
本発明の目的はそれゆえ、仮想会議の参加者のためのサウンドを改善することである。
【課題を解決するための手段】
【００１０】
この目的は、独立請求項に従う装置及び方法によって達成される。本発明の実施形態は、従属請求項によって規定される。
【００１１】
本発明に従う装置は、各参加者のための識別情報に関連づけられた場所情報を受信する手段と、少なくともオーディオと前記各参加者の識別情報とを含むストリームを、前記各参加者から受信する手段と、前記場所情報と前記識別情報とに基づいて、同一の場所にいる前記参加者間のストリームをブロックするように、前記受信した各ストリームを別々に前記参加者へ送信することを制御する手段と、を備え、仮想会議の参加者のためのサウンドを改善する。
【００１２】
本発明に従う方法は、各参加者のための識別情報に関連づけられた場所情報を受信するステップと、少なくともオーディオと前記各参加者の識別情報とを含むストリームを、前記各参加者から受信するステップと、前記場所情報と前記識別情報とに基づいて、同一の場所にいる前記参加者間のストリームをブロックするように、前記受信した各ストリームを別々に前記参加者へ送信することを制御するステップと、を備え、仮想会議の参加者のためのサウンドを改善する。
【００１３】
本発明の実施形態によれば、前記各参加者の前記場所情報はログイン手続において、又は定期的に、受信される。
【００１４】
一実施形態によれば、前記場所情報は取り出され、当該取り出しは所定のイベントによって引き起こされる（トリガされる）。
【００１５】
更に、前記識別情報は、ＳＩＰアドレス、ＩＭＳＩ、又はＩＰアドレスである。
【００１６】
一実施形態によれば、前記制御する手段は、前記第１の場所にいる所与の参加者からの第１のストリームを別の場所にいる参加者の第１のセットへと導く手段を更に備え、当該第１のストリームは当該第１のセットに含まれない参加者に対してはブロックされる。
【００１７】
一実施形態によれば、前記装置は、前記識別情報に基づいて前記参加者の活動（アクティビティ）を記録する手段と、前記記録した活動を前記仮想会議の前記参加者に対して提示する手段と、を備える。
【００１８】
一実施形態によれば、少なくとも２つのストリームをまとめて１つのストリームにする手段が提供される。
【００１９】
一実施形態によれば、音声活動検出（ＶＡＤ）のための手段と、音声が検出されたストリームのみを送信する手段と、が提供される。一代替例では、復号及び符号化は前記ＶＡＤに基づく。他の代替例では、符号化された到来ストリーム間の出力は前記ＶＡＤに基づいて切り替えられ、音声が検出された場合のみ復号を行う手段がある。
【００２０】
一実施形態によれば、クライアント−サーバ・ソリューションにおいて、本発明の前記装置はサーバを構成し、本発明の前記方法はサーバ内で実施され、前記参加者はクライアントを構成する。
【００２１】
他の実施形態によれば、ピア・ツー・ピア・ソリューションにおいて、本発明の前記装置は前記仮想会議の参加者の移動電話内に実装されて仲介ピアを構成し、前記仮想会議の前記参加者の前記移動電話はピアを構成する。更に、本発明の前記方法はこの実施形態に従って移動電話内で実施されて前記仲介ピアを構成する。
【００２２】
本発明による利点は、移動中の参加者と会議室にいる参加者との両者にとって、サウンド品質とプレゼンス・オーバービュー（例えば、誰が話しているかを可視化すること）とが向上された仮想会議にユーザが出席できるということである。
【００２３】
更に、参加者の消音によって会議を効果的に設定して管理する能力と、囁き会議を設定することなどがより容易になるので、柔軟性が向上する。
【発明を実施するための最良の形態】
【００２４】
図２は、ＩＭＳ（ＩＰマルチメディア・サブシステム）ネットワークにおいて本発明の実施形態によって提供される、囁き(whispering)の特徴を示す。仮想会議は、３人の参加者Ａ、Ｂ、及びＣのために設定される。なお、参加者Ｃは図示されていない。Ａ２０１はオペレータＡの加入者であり、Ｂ２０２はオペレータＢの加入者である。オペレータＡの、Ｐ−ＣＳＣＦ（プロキシ呼セッション制御機能）２０３、Ｉ−ＣＳＣＦ（インテロゲーティングＣＳＣＦ）２０４、及びＳ−ＣＳＣＦ（サービングＣＳＣＦ）２０６と、オペレータＢの、Ｉ−ＣＳＣＦ２０７、Ｓ−ＣＳＣＦ２０８、及びＰ−ＣＳＣＦ２０３とを介して、ＡとＢとの間でＳＩＰセッションが確立される。Ｓ−ＣＳＣＦは、ＢのＳＩＰ  ＵＲＩに基づいて参加者ＢのＩＰアドレスを見つけるために、ＤＮＳ（ドメイン・ネーム・サーバ）に接続する。ＨＳＳ（ホーム加入者サーバ）２０５、２０９は、ユーザに関連する情報のための中央リポジトリである。本発明に従うサーバは、ストリームがどのように転送されるかに関連する、Ｓ−ＣＳＣＦの機能を制御するように構成される。
【００２５】
参加者Ａ２０１は、参加者Ｂ２０２との囁きセッションを開始する。このことは、サーバを介して参加者Ａが参加者Ｂへとストリームを送信することを示唆する。ストリームは、彼の会話内容に加えて、（例えばＳＩＰ  ＵＲＩ、セッション開始プロトコル・統一資源識別子のような）送信者のアドレスと受信者のアドレスとを含む。サーバは、具体的なコンテクストと場所と（サーバはこれらを、ログイン手続又は会議中の最新の更新から格納している）を調べるために、送信者のアドレスと受信者のアドレスとをチェックする。ＣのＳＩＰ  ＵＲＩは受信者のアドレスフィールドに含まれていないので、サーバはＣへのストリームをブロックするように構成される。
【００２６】
ＳＩＰ  ＵＲＩ及びユーザの場所の一例を、以下に示す。
参加者Ａ  (URI: sip:participantA@domain.net)：  会議室
参加者Ｂ  (URI: sip:participantB@domain.net)：  遠方１
参加者Ｃ  (URI: sip:participantC@domain.net)：  遠方２
【００２７】
上述の通り、参加者Ａからのストリームは参加者Ｂへと転送されるが、参加者Ｃへは転送されない。この種の制御が可能なのは、サーバが送信者及び受信者各自の識別子について知っており、各識別子についての場所がサーバに格納されているからである。
【００２８】
上述の通り、本発明は、仮想会議の参加者のストリームを制御するための装置に関する。この装置は、サーバ内に、又は、ピア・ツー・ピア・ソリューションにおいてはピアを構成している１以上の移動電話内に、実装することができる。仮想会議の少なくとも第１の参加者と第２の参加者とが第１の場所に位置しており、仮想会議の少なくとも第３の参加者が第２の場所に位置している。本方法は、図５のフローチャートに示されており、以下のステップを含む。
【００２９】
５０１．  各参加者のための識別情報に関連づけられた場所情報を受信する。
【００３０】
５０２．  少なくともオーディオと各参加者の識別子とを含むストリームを、各参加者から受信する。
【００３１】
５０３．  前記場所情報と識別情報とに基づいて、同一の場所にいる参加者間のストリームをブロックするように、受信した各ストリームを別々に前記参加者へ送信することを制御する。
【００３２】
（所与のデバイス構成と、多様な方法内での複数のステップの所与の順序とを含む）特定の実施形態に関して本発明を説明したが、当業者であれば、ここで説明して図示した詳細な実施形態に本発明が限定されることはないということを認識するであろう。それゆえ、ここでの開示は説明に役立てるためのものに過ぎないということが理解されよう。従って、本発明は、ここに添付した請求項の範囲によってのみ限定されるということが意図されている。
【図面の簡単な説明】
【００３３】
【図１】仮想会議における参加者Ａ、Ｂ、及びＣの間での会話からの音声ストリームの例を示す。
【図２】ＩＭＳネットワーク内でサーバがセルラネットワークに接続する時のシナリオの例を示す。
【図３】本発明に従う構成を示す。
【図４】本発明に従う方法のフローチャートである。
【図１】
2009536497.tif 000003
【図２】
2009536497.tif 000004
【図３】
2009536497.tif 000005
【図４】
2009536497.tif 000006
【図５】
2009536497.tif 000007
【手続補正書】
【提出日】平成21年5月13日(2009.5.13)
【手続補正１】
【補正対象書類名】明細書
【補正対象項目名】全文
【補正方法】変更
【補正の内容】
【発明の詳細な説明】
【技術分野】
【０００１】
本発明は、仮想会議のための方法及び装置に関し、本発明は特に、仮想会議のサウンドの改善に関する。
【背景技術】
【０００２】
２以上の異なる会場に参加者がいる「仮想会議」は、今日のビジネス生活において極めて普及している。その理由は特に、小企業及び大企業、並びに他の組織はいずれも、今日、全世界を自分達の労働環境としているからである。
【０００３】
仮想会議内での意思疎通及び協力はネットワーク機能によって可能になり、テレビ会議による単純な音声電話技術から、多かれ少なかれ先進的な、文書の共同制作や１対１での会議中の意思疎通などにまで跨る。既存の技術／ソリューションには、マルチパーティー通話、音声及びＶｏＩＰでの会議、ビデオ会議、及びＰＣベースの協力ツールなどが含まれる。
【０００４】
仮想会議のための一般的な設定は、図１に示す通りであり、数人の参加者Ａ，Ｂがいる１つの会議室と、各自のオフィスからリモートに参加する１〜２の人Ｃと、移動しながら電話してくる何人かの人である。スピーカフォン又はＰＣベースの音声接続によって、会議室と多様な遠隔会場との間での意思疎通１１０，１２０が可能になる。
【０００５】
全参加者が会議室に入り、スピーカフォンを介して会話に参加するまで、会議は開始することができない。更に、会議は、口から耳へ、固定電話、そして移動電話といった多数のソースからの音声通信に頼っている。
【０００６】
マイクロフォンから遠くはなれて座っている人々はしばしば、遠隔地の参加者によって聞かれることに関して問題を有する。分離した延長マイクがあったとしても、全員がマイクロフォンに十分に近づける訳ではない。例えばホワイトボードの位置に立っている人はしばしば、遠すぎる。発表や部屋内の誰かを見るために頭をちょっと回すと、サウンドの劣化を引き起こす。
【０００７】
スピーカの音量は１つのレベルにのみ設定される必要があるので、遠くに離れて座っている人にとって十分に大きくするためには、近くに座っている人にとっては大きすぎることになるかもしれない。難聴の人々は、個別に調整する手段を持たない。
【０００８】
それゆえ、例え各参加者が同一の部屋に座っているとしても、各参加者が自分のスピーカ及びマイクロフォンを持てるというソリューションを達成することが望まれるかもしれない。
【発明の開示】
【発明が解決しようとする課題】
【０００９】
本発明の目的はそれゆえ、仮想会議の参加者のためのサウンドを改善することである。
【課題を解決するための手段】
【００１０】
この目的は、独立請求項に従う装置及び方法によって達成される。本発明の実施形態は、従属請求項によって規定される。
【００１１】
本発明に従う、図４に示される装置は、各参加者のための識別情報に関連づけられた場所情報を受信する手段４１０と、少なくともオーディオと前記各参加者の識別情報とを含むストリームを、前記各参加者から受信する手段４２０と、前記場所情報と前記識別情報とに基づいて、同一の場所にいる前記参加者間のストリームをブロックするように、前記受信した各ストリームを別々に前記参加者へ送信することを制御する手段４３０と、を備え、仮想会議の参加者のためのサウンドを改善する。
【００１２】
本発明に従う方法は、各参加者のための識別情報に関連づけられた場所情報を受信するステップと、少なくともオーディオと前記各参加者の識別情報とを含むストリームを、前記各参加者から受信するステップと、前記場所情報と前記識別情報とに基づいて、同一の場所にいる前記参加者間のストリームをブロックするように、前記受信した各ストリームを別々に前記参加者へ送信することを制御するステップと、を備え、仮想会議の参加者のためのサウンドを改善する。
【００１３】
本発明の実施形態によれば、前記各参加者の前記場所情報はログイン手続において、又は定期的に、受信される。
【００１４】
一実施形態によれば、前記場所情報は取り出され、当該取り出しは所定のイベントによって引き起こされる（トリガされる）。
【００１５】
更に、前記識別情報は、ＳＩＰアドレス、ＩＭＳＩ、又はＩＰアドレスである。
【００１６】
一実施形態によれば、前記制御する手段は、前記第１の場所にいる所与の参加者からの第１のストリームを別の場所にいる参加者の第１のセットへと導く手段を更に備え、当該第１のストリームは当該第１のセットに含まれない参加者に対してはブロックされる。
【００１７】
一実施形態によれば、前記装置は、前記識別情報に基づいて前記参加者の活動（アクティビティ）を記録する手段と、前記記録した活動を前記仮想会議の前記参加者に対して提示する手段と、を備える。
【００１８】
一実施形態によれば、少なくとも２つのストリームをまとめて１つのストリームにする手段が提供される。
【００１９】
一実施形態によれば、音声活動検出（ＶＡＤ）のための手段と、音声が検出されたストリームのみを送信する手段と、が提供される。一代替例では、復号及び符号化は前記ＶＡＤに基づく。他の代替例では、符号化された到来ストリーム間の出力は前記ＶＡＤに基づいて切り替えられ、音声が検出された場合のみ復号を行う手段がある。
【００２０】
一実施形態によれば、クライアント−サーバ・ソリューションにおいて、本発明の前記装置はサーバを構成し、本発明の前記方法はサーバ内で実施され、前記参加者はクライアントを構成する。
【００２１】
他の実施形態によれば、ピア・ツー・ピア・ソリューションにおいて、本発明の前記装置は前記仮想会議の参加者の移動電話内に実装されて仲介ピアを構成し、前記仮想会議の前記参加者の前記移動電話はピアを構成する。更に、本発明の前記方法はこの実施形態に従って移動電話内で実施されて前記仲介ピアを構成する。
【００２２】
本発明による利点は、移動中の参加者と会議室にいる参加者との両者にとって、サウンド品質とプレゼンス・オーバービュー（例えば、誰が話しているかを可視化すること）とが向上された仮想会議にユーザが出席できるということである。
【００２３】
更に、参加者の消音によって会議を効果的に設定して管理する能力と、囁き会議を設定することなどがより容易になるので、柔軟性が向上する。
【発明を実施するための最良の形態】
【００２４】
図２は、ＩＭＳ（ＩＰマルチメディア・サブシステム）ネットワークにおいて本発明の実施形態によって提供される、囁き(whispering)の特徴を示す。仮想会議は、３人の参加者Ａ、Ｂ、及びＣのために設定される。なお、参加者Ｃは図示されていない。Ａ２０１はオペレータＡの加入者であり、Ｂ２０２はオペレータＢの加入者である。オペレータＡの、Ｐ−ＣＳＣＦ（プロキシ呼セッション制御機能）２０３、Ｉ−ＣＳＣＦ（インテロゲーティングＣＳＣＦ）２０４、及びＳ−ＣＳＣＦ（サービングＣＳＣＦ）２０６と、オペレータＢの、Ｉ−ＣＳＣＦ２０７、Ｓ−ＣＳＣＦ２０８、及びＰ−ＣＳＣＦ２０３とを介して、ＡとＢとの間でＳＩＰセッションが確立される。Ｓ−ＣＳＣＦは、ＢのＳＩＰ  ＵＲＩに基づいて参加者ＢのＩＰアドレスを見つけるために、ＤＮＳ（ドメイン・ネーム・サーバ）に接続する。ＨＳＳ（ホーム加入者サーバ）２０５、２０９は、ユーザに関連する情報のための中央リポジトリである。本発明に従うサーバは、ストリームがどのように転送されるかに関連する、Ｓ−ＣＳＣＦの機能を制御するように構成される。
【００２５】
参加者Ａ２０１は、参加者Ｂ２０２との囁きセッションを開始する。このことは、サーバを介して参加者Ａが参加者Ｂへとストリームを送信することを示唆する。ストリームは、彼の会話内容に加えて、（例えばＳＩＰ  ＵＲＩ、セッション開始プロトコル・統一資源識別子のような）送信者のアドレスと受信者のアドレスとを含む。サーバは、具体的なコンテクストと場所と（サーバはこれらを、ログイン手続又は会議中の最新の更新から格納している）を調べるために、送信者のアドレスと受信者のアドレスとをチェックする。ＣのＳＩＰ  ＵＲＩは受信者のアドレスフィールドに含まれていないので、サーバはＣへのストリームをブロックするように構成される。
【００２６】
ＳＩＰ  ＵＲＩ及びユーザの場所の一例を、以下に示す。
参加者Ａ  (URI: sip:participantA@domain.net)：  会議室
参加者Ｂ  (URI: sip:participantB@domain.net)：  遠方１
参加者Ｃ  (URI: sip:participantC@domain.net)：  遠方２
【００２７】
上述の通り、参加者Ａからのストリームは参加者Ｂへと転送されるが、参加者Ｃへは転送されない。この種の制御が可能なのは、サーバが送信者及び受信者各自の識別子について知っており、各識別子についての場所がサーバに格納されているからである。
【００２８】
上述の通り、本発明は、仮想会議の参加者のストリームを制御するための装置に関する。この装置は、サーバ内に、又は、ピア・ツー・ピア・ソリューションにおいてはピアを構成している１以上の移動電話内に、実装することができる。仮想会議の少なくとも第１の参加者と第２の参加者とが第１の場所に位置しており、仮想会議の少なくとも第３の参加者が第２の場所に位置している。本方法は、図５のフローチャートに示されており、以下のステップを含む。
【００２９】
５０１．  各参加者のための識別情報に関連づけられた場所情報を受信する。
【００３０】
５０２．  少なくともオーディオと各参加者の識別子とを含むストリームを、各参加者から受信する。
【００３１】
５０３．  前記場所情報と識別情報とに基づいて、同一の場所にいる参加者間のストリームをブロックするように、受信した各ストリームを別々に前記参加者へ送信することを制御する。
【００３２】
（所与のデバイス構成と、多様な方法内での複数のステップの所与の順序とを含む）特定の実施形態に関して本発明を説明したが、当業者であれば、ここで説明して図示した詳細な実施形態に本発明が限定されることはないということを認識するであろう。それゆえ、ここでの開示は説明に役立てるためのものに過ぎないということが理解されよう。従って、本発明は、ここに添付した請求項の範囲によってのみ限定されるということが意図されている。
他の会議の設定を図３に示す。
【図面の簡単な説明】
【００３３】
【図１】仮想会議における参加者Ａ、Ｂ、及びＣの間での会話からの音声ストリームの例を示す。
【図２】ＩＭＳネットワーク内でサーバがセルラネットワークに接続する時のシナリオの例を示す。
【図３】本発明を適用可能な会議の設定を示す。
【図４】本発明に従う構成を示す。
【図５】本発明に従う方法のフローチャートである。
【国際調査報告】
2009536497.tif 000008
2009536497.tif 000009
2009536497.tif 000010
2009536497.tif 000011